(57)【特許請求の範囲】
【請求項１】
管理室に設置されている管理室親機と、住戸内に設置されている住宅情報盤とを具備し、上記管理室親機に設けられている通話手段と、上記住宅情報盤に設けられている通話手段とでインターホン通話を行うインターホンシステムにおいて、
上記住宅情報盤が、
居住者が自発的に第１の所定時間毎に操作するライフチェックボタンと；
上記ライフチェックボタンが操作されると、居住者が正常に活動していることを示す居住者活動信号を上記管理室親機に送信する居住者活動信号送信手段と；
上記ライフチェックボタンが操作された回数をカウントするカウント手段と；
上記カウント手段がカウントした回数に応じて、異なるパターンのキャラクタを表示する表示手段と；
を有し、
上記管理室親機が、
上記居住者活動信号を受信する受信手段と；
上記受信手段が上記居住者活動信号を、上記第１の所定時間内に受信しないと、警報を発する警報手段と；
上記第１の所定時間を計時し、上記第１の所定時間を計時すると、タイムアップ信号を出力する管理室用タイマ手段であって、上記受信手段が上記居住者活動信号を受信すると、それまでカウントしていた時間をリセットする管理室用タイマ手段と；
を有し、
上記カウント手段は、上記ライフチェックボタンが、所定期間内に所定の回数以上操作された場合は、上記カウントの回数の積算値が増加しないようにする手段であることを特徴とするインターホンシステム。
【発明の詳細な説明】
【技術分野】
【０００１】
本発明は、インターホンシステムに関する。
【背景技術】
【０００２】
マンション等の集合住宅の各住戸に、それぞれ住宅情報盤が設けられている。この住宅情報盤は、集合住宅の集合玄関に設置されている集合玄関機や、集合住宅の管理室に設置されている管理室親機との間で、通話線等を介して接続され、インターホン通話ができる。
【０００３】
このような住宅情報盤には、非常ボタンが設けられていることがある。住戸の居住者に異常が生じた場合、居住者が自らまたはその家族が、上記非常ボタンを押すことによって、非常信号を管理室に送信し、異常（緊急）事態を通報する（たとえば、特許文献１参照）。
【先行技術文献】
【特許文献】
【０００４】
【特許文献１】特開２００２−２９０５８７号公報
【発明の概要】
【０００５】
しかし、異常事態の１つに、居住者の体調不良があり、しかも居住者が一人住まいである場合に、上記従来例では、体調不良の居住者が自ら上記非常ボタンを押すことが困難であるかまたは不可能であることがある。したがって、上記従来例では、一人住まいの居住者が体調不良である場合には、異常事態を管理室に通報することが困難であるという問題がある。
【０００６】
一方、近年では、集合住宅において、高齢者等の要介護者と、その家族（世話人）とが互いに別々の住戸に住む場合がある。この場合、高齢者が住んでいる住戸で異常事態が発生すると、管理室だけでなく、世話人の住戸にも通報できることが望まれる。
【０００７】
しかし、従来例では、管理室にしか異常事態を通報することができないので、夜間等、管理室に管理員が不在である場合等には、非常通報を送ることができないという問題がある。
【０００８】
本発明は、一人住まいの居住者が体調不良であり、非常ボタンを押すことが困難であっても、異常事態を管理室に通報することができるインターホンシステムを提供することを目的とする。
【０００９】
また、本発明は、一人住まいの居住者が体調不良であり、非常ボタンを押すことが困難であっても、また、夜間等、管理室に管理員が不在であっても、世話人または家族の住戸に非常通報を送ることができるインターホンシステムを提供することを目的とする。
【課題を解決するための手段】
【００１０】
本願発明のインターホンシステムは、管理室に設置されている管理室親機と、住戸内に設置されている住宅情報盤とを具備し、上記管理室親機に設けられている通話手段と、上記住宅情報盤に設けられている通話手段とでインターホン通話を行うインターホンシステムにおいて、上記住宅情報盤が、居住者が自発的に第１の所定時間毎に操作するライフチェックボタンと、上記ライフチェックボタンが操作されると、居住者が正常に活動していることを示す居住者活動信号を上記管理室親機に送信する居住者活動信号送信手段と、上記ライフチェックボタンが操作された回数をカウントするカウント手段と、上記カウント手段がカウントした回数に応じて、異なるパターンのキャラクタを表示する表示手段とを有し、上記管理室親機が、上記居住者活動信号を受信する受信手段と、上記受信手段が上記居住者活動信号を、上記第１の所定時間内に受信しないと、警報を発する警報手段と、上記第１の所定時間を計時し、上記第１の所定時間を計時すると、タイムアップ信号を出力する管理室用タイマ手段であって、上記受信手段が上記居住者活動信号を受信すると、それまでカウントしていた時間をリセットする管理室用タイマ手段とを有し、上記カウント手段は、上記ライフチェックボタンが、所定期間内に所定の回数以上操作された場合は、上記カウントの回数の積算値が増加しないようにする手段であることを特徴とする。
【発明の効果】
【００１１】
本発明によれば、一人住まいの居住者が体調不良であり、非常ボタンを押すことが困難であっても、異常事態を管理室に通報することができるという効果を奏する。
【図面の簡単な説明】
【００１２】
【図１】本発明の実施例１であるインターホンシステム１００を示すブロック図である。
【図２】住宅情報盤ＪＢ３０３の外観を示す図である。
【図３】インターホンシステム１００における管理室親機３０と、住宅情報盤ＪＢ３０３とのより具体的な構成を示すブロック図である。
【発明を実施するための形態】
【００１３】
発明を実施するための形態は、以下の実施例である。
【実施例１】
【００１４】
図１は、本発明の実施例１であるインターホンシステム１００を示すブロック図である。
【００１５】
インターホンシステム１００は、集合玄関機１０と、制御装置２０と、管理室親機３０と、住宅情報盤ＪＢ１０１、…、ＪＢ３０３、…とを有する。
【００１６】
集合玄関機１０は、マンション等の集合玄関に設けられている。
【００１７】
制御装置２０は、住宅情報盤ＪＢ１０１、…、ＪＢ３０３、…と集合玄関機１０との間におけるインターホン通話を制御する。
【００１８】
管理室親機３０は、管理室に設けられ、住宅情報盤ＪＢ１０１、…、ＪＢ３０３、…と基本的には同様な機能を有し、制御装置２０を介して接続されている。
【００１９】
住宅情報盤ＪＢ１０１、…、ＪＢ３０３、…と、集合玄関機１０と、制御装置２０と、管理室親機３０とは、制御信号線Ｌｃと音声信号線Ｌａとを介して接続され、必要に応じて映像信号線にも接続される。
【００２０】
住宅情報盤ＪＢ１０１、…、ＪＢ３０３、…は、住戸内に設けられ、１０１号室の住戸用として、住宅情報盤ＪＢ１０１が設けられ、３０３号室の住戸用として、住宅情報盤ＪＢ３０３が設けられている。また、住宅情報盤ＪＢ１０１に、玄関子機Ｃ１０１が接続され、住宅情報盤ＪＢ３０３に、玄関子機Ｃ３０３が接続されている。
【００２１】
以下の説明では、住宅情報盤ＪＢ１０１に着目して説明するが、住宅情報盤ＪＢ１０１以外の住宅情報盤の構成、動作は、住宅情報盤ＪＢ１０１の構成、動作と同様である。
【００２２】
図２は、住宅情報盤ＪＢ１０１の外観を示す図である。
【００２３】
住宅情報盤ＪＢ１０１は、操作手段４２と、表示手段４９とを有する。操作手段４２は、メニューボタンＢ１と、上移動ボタンＢ２と、下移動ボタンＢ３と、決定ボタンＢ４と、ライフチェックボタンＢ５と、復旧ボタンＢ６と、通話ボタンＢ７とを有する。表示手段４９は、集合玄関機からの映像や、後述のキャラクタを表示する手段である。
【００２４】
ライフチェックボタンＢ５は、居住者が第１の所定時間毎に操作するボタンであり、これを押すことによって、管理室親機３０に、その居住者が元気で活動していることを知らせる。上記第１の所定時間は、たとえば３６時間であり、３６時間以内に１回押すことが、システム運営上の約束になっているとする。勿論、３６時間以外の時間であってもよく、たとえば、２４時間、４８時間であってもよい。
【００２５】
図３は、インターホンシステム１００における管理室親機３０と、住宅情報盤ＪＢ１０１とのより具体的な構成を示すブロック図である。
【００２６】
管理室親機３０は、制御手段３１と、送受信手段３３と、通話手段３４と、マイクＭＣ１と、スピーカＳＰ１と、管理室用タイマ手段３５と、管理室用記憶手段３６と、管理室用警報手段３７とを有する。
【００２７】
制御手段３１は、管理室親機３０の全体を制御する。
【００２８】
送受信手段３３は、制御装置２０との間で制御信号を送受信し、また、居住者が正常に活動していることを示す居住者活動信号を、住宅情報盤ＪＢ１０１から受信する。
【００２９】
通話手段３４は、音声信号を送受信し、マイクＭＣ１とスピーカＳＰ１とに接続されている。
【００３０】
管理室用タイマ手段３５は、上記第１の所定時間を計時し、管理室用タイマ手段３５が、上記第１の所定時間を計時すると、タイムアップ信号を出力する手段である。
【００３１】
管理室用記憶手段３６は、ある住戸番号と、他の住戸番号との対応関係を記憶している。たとえば、高齢者である居住者の住戸番号と、その高齢者が住んでいる集合住宅と同一の集合住宅内の別の住戸に住んでいる家族、または世話人が住む住戸の住戸番号との対応関係を、管理室用記憶手段３６が記憶している。
【００３２】
管理室用警報手段３７は、送受信手段３３が上記居住者活動信号を、上記第１の所定時間内に受信しないと、スピーカＳＰ１から警報を発する警報手段の例である。
【００３３】
住宅情報盤ＪＢ１０１は、制御手段４１と、操作手段４２と、送受信手段４３と、通話手段４４と、マイクＭＣ２と、スピーカＳＰ２と、通話接続スイッチＳＷと、住宅用タイマ手段４５と、キャラクタ記憶手段４６と、住宅用警報手段４７と、カウント手段４８と、表示手段４９とを有する。
【００３４】
制御手段４１は、住宅情報盤ＪＢ１０１の全体を制御する。また、制御手段４１は、カウント手段４８がカウントしたライフチェックボタンＢ５の押下回数に対応するキャラクタを、キャラクタ記憶手段４６から選択し、表示手段４９に表示させる。
【００３５】
送受信手段４３は、制御信号線Ｌｃを介した制御信号を送受信するとともに、居住者活動信号を送信する。
【００３６】
制御手段４１と送受信手段４３とは、ライフチェックボタンＢ５が操作されると、居住者が正常に活動していることを示す居住者活動信号を管理室親機３０に送信する居住者活動信号送信手段の例である。
【００３７】
通話手段４４は、音声信号を送受信し、マイクＭＣ２とスピーカＳＰ２とに接続されている。通話接続スイッチＳＷは、居住者が通話ボタンＢ７を押すと、制御手段４１によってオンされるスイッチであり、集合玄関機１０と住宅情報盤ＪＢ１０１との間で通話を可能にするスイッチである。
【００３８】
住宅用タイマ手段４５は、上記第１の所定時間を計時し、また、上記第１の所定時間よりも短い第２の所定時間を計時するとともに、ライフチェックボタンＢ５の操作によってカウント値がリセットされる。
【００３９】
キャラクタ記憶手段４６は、カウント手段４８がカウントした回数に対応して異なるパターンのキャラクタの映像情報を記憶する。
【００４０】
住宅用警報手段４７は、第１の所定時間よりも短い第２の所定時間の間、ライフチェックボタンＢ５が操作されないと、住宅情報盤Ｊｂ１０１に対応する住戸の居住者に対して一次警報を行う。カウント手段４８は、ライフチェックボタンＢ５が居住者によって操作された回数をカウントする。表示手段４９は、カウント手段４８がカウントした回数に応じて、異なるパターンのキャラクタを表示する。
【００４１】
なお、カウント手段４８がカウントした回数に対応するキャラクタの映像情報を、キャラクタ記憶手段４６に記憶させずに、管理室親機３０の管理室用記憶手段３６等、住宅情報盤ＪＢ１０１以外に設けられている記憶手段に記憶させ、これからキャラクタの映像情報を必要に応じて取り込むようにしてもよい。
【００４２】
次に、実施例１の動作について説明する。
【００４３】
まず、ライフチェックボタンＢ５が、第１の所定時間（たとえば、３６時間）の間に、操作されると、ライフチェックボタンＢ５が居住者活動信号を出力し、この居住者活動信号が、制御手段４１、送受信手段４３、制御信号線Ｌｃ、制御装置２０を介して、管理室親機３０に送られる。管理室親機３０の制御手段３１は、第１の所定時間以内に、住宅情報盤ＪＢ１０１から居住者活動信号を受けたので、住宅情報盤ＪＢ１０１に対応する住戸番号１０１号室の居住者が元気に生活していることを認識し、管理室用タイマ手段３５のタイマ、つまり、それまでカウントしていた時間がリセットされる。なお、住宅情報盤ＪＢ１０１から居住者活動信号を受けたことを、管理室親機３０に設けられている表示手段（不図示）に表示するようにしてもよい。この際、居住者活動信号を受信した日時を一緒に表示するようにしてもよい。
【００４４】
ところで、ライフチェックボタンＢ５が、第１の所定時間（たとえば、３６時間）にわたって操作されないと、居住者活動信号は出力されない。管理室親機３０の制御手段３１は、管理室用タイマ３５が第１の所定時間カウントし終わっても住宅情報盤ＪＢ１０１から居住者活動信号を受信していないので、住戸番号１０１号室の居住者に異常が生じていると判断し、管理室用警報手段３７が警報を発する。このように、管理室用警報手段３７が警報を発するので、住戸番号１０１号室の居住者に異常が生じたことを、管理室親機３０の傍に存在している管理員等が認識することができる。つまり、居住者の体調等が急変し、異常が発生したときに、居住者自らが非常ボタンを操作しなくても、または操作することができなくても、その異常発生を、管理室親機３０に確実に知らせることができる。
【００４５】
また、第１の所定の時間（たとえば３６時間）よりも短い第２の所定時間（たとえば３０時間）が経過しても、ライフチェックボタンＢ５が操作されず、居住者活動信号が出力されない場合、住宅用警報手段４７が住宅情報盤のスピーカＳＰ２から、ライフチェックボタンＢ５が押されていない旨の一次警報を発するようにしてもよい。
【００４６】
住宅情報盤ＪＢ１０１側の住宅用タイマ手段４５は、第２の所定時間を計時し、また、ライフチェックボタンＢ５が操作され、居住者活動信号が発生すると、それまでカウントしていたカウント値がリセットされる。
【００４７】
住宅用警報手段４７は、住宅用タイマ手段４５がカウントする第２の所定時間の間、ライフチェックボタンＢ５が操作されないと、住戸の居住者に対して、住宅情報盤のスピーカＳＰ２から一次警報を発する。
【００４８】
このように、ライフチェックボタンＢ５が上記第１の所定の時間（たとえば３６時間）よりも短い第２の所定時間（たとえば３０時間）で、一次警報を住宅情報盤のスピーカＳＰ２から居住者に向けて発するので、居住者が正常な状態であるときに、上記第１の所定の時間の間、ライフチェックボタンＢ５の操作を忘れた場合でも、一次警報によって、居住者がライフチェックボタンＢ５の押し忘れに気付くことができる。このため、上記第１の所定の時間内に、居住者がライフチェックボタンＢ５を押すので、居住者の押し忘れによる住居者の異常事態発生が誤って管理室親機３０側に通報されることが防止され、つまり、居住者の安否確認に関する誤報を防止することができる。
【００４９】
次に、実施例１において、ライフチェックボタンＢ５の押下回数に応じてキャラクタが変化して表示手段４９に表示される動作について説明する。
【００５０】
まず、キャラクタ記憶手段４６に、ライフチェックボタンＢ５の押下回数に対応して、複数の異なるパターンのキャラクタが格納されている。そして、ライフチェックボタンＢ５が押下された回数（インターホンシステム１００を設置したときからの押下回数の積算値）を、カウント手段４８がカウントし、このカウント値は、制御手段４１に送られる。制御手段４１は、ライフチェックボタンＢ５の押下回数に応じたキャラクタの映像情報をキャラクタ記憶手段４６から呼び出し、この呼び出されたキャラクタが表示手段４９に表示される。押下回数が増加するにつれ、キャラクタの形態が変化するように、キャラクタ記憶手段４６は、押下回数に対応するキャラクタの映像情報を格納してある。
【００５１】
たとえば、日時が経過するに応じて、ライフチェックボタンＢ５の押下回数の積算値が増加する。そして、押下回数に応じてキャラクタが成長し、この成長しつつあるキャラクタが表示手段４９に表示される。このようにすれば、ライフチェックボタンＢ５を操作することに居住者が楽しみを感じ、ライフチェックボタンＢ５を居住者が毎日、自発的に押す可能性が高くなり、居住者の安否確認の実効が上がる。
【００５２】
または、キャラクタの代わりに、風景、建造物等、他の画像をキャラクタ記憶手段４６に格納し、日時の推移（季節の変化）と、ライフチェックボタンＢ５の押下回数に応じて、キャラクタを変化させて表示するようにしてもよい。
【実施例２】
【００５３】
本発明の実施例２は、実施例１において、高齢者に異常事態が発生した場合、その高齢者と同一集合住宅内の別の住戸に住んでいる家族、または世話人が住む住戸に、異常事態が発生したことを連絡することができる実施例である。
【００５４】
なお、実施例２の構成は、図３に示すインターホンシステム１００の構成と同様である。
【００５５】
実施例２において、高齢者が住む住戸の住戸番号（たとえば１０１号室）と、その高齢者（居住者）と同一集合住宅内の別の住戸に住んでいる家族、または世話人が住む住戸の住戸番号（たとえば３０３号室）との対応関係が、管理室親機３０に設けられている管理室用記憶手段３６に記憶されている。
【００５６】
つまり、送受信手段３３は、上記居住者活動信号を上記第１の所定時間内に受信しないと、管理室用記憶手段３６に記憶されている住宅情報盤ＪＢ１０１と対応付けられている他の住戸に、警報を送る警報送信手段の例である。
【００５７】
次に、実施例２の動作について説明する。
【００５８】
まず、高齢者の住戸に設けられている住宅情報盤ＪＢ１０１から、第１の所定時間の間、居住者活動信号を受信することができないと、管理室親機３０の制御手段３１は、管理室用警報手段３７から警報を鳴らすとともに、管理室用記憶手段３６から、上記高齢者の家族、または世話人が住んでいる住戸の住戸番号（たとえば３０３）を選択し、送受信手段３３から、その住戸番号宛に警報信号を送信する。
【００５９】
高齢者の家族、または世話人が住む住戸の住宅情報盤ＪＢ３０３は、送受信手段３３から警報信号を受信すると、住宅用警報手段４７が警報を発する。たとえば「１０１号室で異常が発生しました」のように警報する。これによって、高齢者の家族、または世話人が同一集合住宅内で別の住戸に住んでいる場合であって、その高齢者に異常が発生すると、その高齢者の異常を確実に知ることができる。
【実施例３】
【００６０】
本発明の実施例３は、実施例１において、ライフチェックボタンが第１の所定時間内に操作されないと、住宅情報盤が居住者非活動信号を発生し、管理室親機が居住者非活動信号を受信すると、警報を発する実施例である。
【００６１】
なお、実施例３の構成は、図３に示すインターホンシステム１００の構成と同様である。
【００６２】
制御手段４１は、ライフチェックボタンＢ５が上記第１の所定時間内に操作されないと、居住者が正常に活動していないことを示す居住者非活動信号を出力する。送受信手段４３は、居住者非活動信号を管理室親機３０に送信する。
【００６３】
管理室親機３０に設けられている送受信手段３３が、上記居住者非活動信号を受信する。送受信手段３３が上記居住者非活動信号を受信すると、制御手段３１が、管理室用警報手段３７に警報を発生させる。
【００６４】
実施例３によっても、一人住まいの居住者が体調不良であり、非常ボタンを押すことが困難であっても、異常事態を管理室に通報することができる。また、体調不良になった居住者の家族、または世話人が同一集合住宅内で別の住戸に住んでいる場合に、体調不良になった居住者に異常が発生したことを、家族または世話人に通知するようにしてもよい。
【００６５】
なお、上記実施例では、およそ３０時間に１度ライフチェックボタンＢ５を押すように、第２の所定時間が設定されているが、上記第２の所定時間として、たとえば２時間等のように、より短い時間を設定するようにしてもよい。
【００６６】
また、上記実施例では、ライフチェックボタンＢ５が一日に押される回数の上限を決めていないが、たとえば、押下上限回数を１日１０回とし、それ以上押下された場合、押下回数の積算値が増加しないようにしてもよい。
【符号の説明】
【００６７】
１０…集合玄関機、３０…管理室親機、３１…制御手段、３５…管理室用タイマ手段、
３６…管理室用記憶手段、３７…管理室用警報手段、ＪＢ１０１…住宅情報盤、
４１…制御手段、４２…操作手段、Ｂ５…ライフチェックボタン、
４５…住宅用タイマ手段、４６…キャラクタ記憶手段、４７…住宅用警報手段、
４８…カウント手段、４９…表示手段。
【図１】
0005627914.tif 000002
【図２】
0005627914.tif 000003
【図３】
0005627914.tif 000004